(57)【要約】【課題】航空写真等から正確に林相の区画を自動抽出するのが困難である。【解決手段】低分解能画像生成部５０は、森林を含む対象地域を上空から撮影した原画像から、当該原画像の隣接する複数画素からなる領域を画素として分解能を低下させた劣化画像を生成する。初期区画部５２は劣化画像を、１又は複数種類の区画用特徴量の類似性に基づいて複数領域に分割し林相区画を生成する。後続区画部５４は、隣接する林相区画を１又は複数種類の区画用特徴量の類似性に基づいて結合して新たな林相区画を生成する逐次区画処理を１回又は複数回行い、対象地域における森林の林相区画を出力する。区画用特徴量は、劣化画像の画素又は林相区画のスペクトル特徴量、幾何特徴量、及びテクスチャ特徴量の何れか１つもしくは複数の組み合わせである。後続区画部５４は少なくとも１回の逐次区画処理を原画像、又は原画像及び劣化画像それぞれの区画用特徴量に基づいて行う。【選択図】図１３
2014199660.tif 000002
【特許請求の範囲】
【請求項１】
森林を含む対象地域を上空から撮影した原画像から、当該原画像の隣接する複数画素からなる領域を画素として分解能を低下させた劣化画像を生成する画像劣化手段と、
前記劣化画像を、１又は複数種類の区画用特徴量の類似性に基づいて複数領域に分割し林相区画を生成する初期区画手段と、
隣接する林相区画を１又は複数種類の前記区画用特徴量の類似性に基づいて結合して新たな林相区画を生成する逐次区画処理を１回又は複数回行い、前記対象地域における前記森林の林相区画を出力する後続区画手段と、
を有し、
前記１又は複数種類の区画用特徴量は、前記劣化画像の画素又は前記林相区画のスペクトル特徴量、幾何特徴量、及びテクスチャ特徴量の何れか１つもしくは複数の組み合わせであり、
前記後続区画手段は少なくとも１回の前記逐次区画処理を前記原画像の前記区画用特徴量、又は前記原画像及び前記劣化画像それぞれの前記区画用特徴量に基づいて行うこと、
を特徴とする林相解析装置。
【請求項２】
請求項１に記載の林相解析装置において、
前記初期区画手段は、前記劣化画像を、その画素値の前記スペクトル特徴量の類似性に基づいて複数領域に分割し林相区画し、
前記後続区画手段は、隣接する林相区画をそれらの前記スペクトル特徴量の類似性に基づいて結合して新たな林相区画を生成する逐次区画処理を１回又は複数回行い、前記対象地域における前記森林の林相区画を出力し、
さらに前記後続区画手段は少なくとも１回の前記逐次区画処理を前記原画像の画素値のスペクトル特徴量、又は前記原画像及び前記劣化画像それぞれの画素値のスペクトル特徴量に基づいて行うこと、
を特徴とする林相解析装置。
【請求項３】
請求項２に記載の林相解析装置において、
前記初期区画手段又は前記後続区画手段は、前記林相区画の生成を前記スペクトル特徴量の類似性と当該林相区画についての前記幾何特徴量の類似性とに基づいて行うこと、を特徴とする林相解析装置。
【請求項４】
請求項１から請求項３のいずれか１つに記載の林相解析装置において、
前記原画像からテクスチャ情報を抽出するテクスチャ情報抽出手段と、
前記後続区画手段から出力される前記各林相区画について、前記テクスチャ情報に基づいて林相を判別する林相区分決定手段と、
を有することを特徴とする林相解析装置。
【請求項５】
請求項４に記載の林相解析装置において、
前記原画像からスペクトル情報を抽出するスペクトル情報抽出手段を有し、
前記林相区分決定手段は、前記テクスチャ情報及び前記スペクトル情報に基づいて前記林相を判別すること、
を特徴とする林相解析装置。
【請求項６】
請求項４又は請求項５に記載の林相解析装置において、
前記テクスチャ情報抽出手段は、前記原画像を二値化処理して日向と日陰とが区別された日向／日陰分布パターンを前記テクスチャ情報として抽出すること、を特徴とする林相解析装置。
【請求項７】
請求項５に記載の林相解析装置において、
前記テクスチャ情報抽出手段は、前記原画像を二値化処理して日向と日陰とが区別された日向／日陰分布パターンを前記テクスチャ情報として抽出し、
前記スペクトル情報抽出手段は、前記日向／日陰分布パターンに基づいて前記原画像の日向領域のみから前記スペクトル情報を抽出すること、
を特徴とする林相解析装置。
【請求項８】
請求項４から請求項７のいずれか１つに記載の林相解析装置において、
前記テクスチャ情報抽出手段は、前記原画像における輝度勾配を二値化処理して日向と日陰との境界領域が現れた日向／日陰境界パターンを前記テクスチャ情報として抽出すること、を特徴とする林相解析装置。
【請求項９】
請求項４から請求項８のいずれか１つに記載の林相解析装置において、
前記テクスチャ情報抽出手段は、前記原画像から局所二値パターン演算子を用いて得られるＬＢＰ画像を前記テクスチャ情報として抽出すること、を特徴とする林相解析装置。
【請求項１０】
請求項１から請求項３のいずれか１つに記載の林相解析装置において、
前記原画像からスペクトル情報を抽出するスペクトル情報抽出手段と、
前記後続区画手段から出力される前記各林相区画について、前記スペクトル情報に基づいて林相を判別する林相区分決定手段と、
を有することを特徴とする林相解析装置。
【請求項１１】
請求項５又は請求項１０に記載の林相解析装置において、
前記原画像は、複数の波長帯を観測したマルチスペクトル画像であり、
前記スペクトル情報抽出手段は、前記原画像の各画素における前記各波長帯の成分を、当該画素における全ての前記波長帯の成分の和で正規化し、正規化後の画像から前記スペクトル情報を抽出すること、
を特徴とする林相解析装置。
【請求項１２】
森林を含む対象地域を上空から撮影した原画像から、当該原画像の隣接する複数画素からなる領域を画素として分解能を低下させた劣化画像を生成する画像劣化ステップと、
前記劣化画像を、１又は複数種類の区画用特徴量の類似性に基づいて複数領域に分割し林相区画を生成する初期区画ステップと、
隣接する林相区画を１又は複数種類の前記区画用特徴量の類似性に基づいて結合して新たな林相区画を生成する逐次区画処理を１回又は複数回行い、前記対象地域における前記森林の林相区画を出力する後続区画ステップと、
を有し、
前記１又は複数種類の区画用特徴量は、前記劣化画像の画素又は前記林相区画のスペクトル特徴量、幾何特徴量、及びテクスチャ特徴量の何れか１つもしくは複数の組み合わせであり、
前記後続区画ステップは少なくとも１回の前記逐次区画処理を前記原画像の前記区画用特徴量、又は前記原画像及び前記劣化画像それぞれの前記区画用特徴量に基づいて行うこと、
を特徴とする林相解析方法。
【請求項１３】
コンピュータに、森林を含む対象地域における林相解析を行わせるためのプログラムであって、当該コンピュータを、
森林を含む対象地域を上空から撮影した原画像から、当該原画像の隣接する複数画素からなる領域を画素として分解能を低下させた劣化画像を生成する画像劣化手段、
前記劣化画像を、１又は複数種類の区画用特徴量の類似性に基づいて複数領域に分割し林相区画を生成する初期区画手段、及び、
隣接する林相区画を１又は複数種類の前記区画用特徴量の類似性に基づいて結合して新たな林相区画を生成する逐次区画処理を１回又は複数回行い、前記対象地域における前記森林の林相区画を出力する後続区画手段、
として機能させ、
前記１又は複数種類の区画用特徴量は、前記劣化画像の画素又は前記林相区画のスペクトル特徴量、幾何特徴量、及びテクスチャ特徴量の何れか１つもしくは複数の組み合わせであり、
前記後続区画手段は少なくとも１回の前記逐次区画処理を前記原画像の前記区画用特徴量、又は前記原画像及び前記劣化画像それぞれの前記区画用特徴量に基づいて行うこと、
を特徴とするプログラム。
【発明の詳細な説明】
【技術分野】
【０００１】
本発明は、上空から撮影した画像から森林の林相区分を抽出する林相解析装置、林相解析方法及びプログラムに関する。
【背景技術】
【０００２】
航空機などによる上空からのリモートセンシングは、広範囲での地上の状況把握が可能であり、森林の林相区分図の作成に利用されている。
【０００３】
上空からの高分解能画像データを利用した林相区分図の作成は従来、基本的に人間が実体視鏡やデジタル図化機等を用いて目視判読で行っている。しかしながら、広範囲にわたる林相判読は膨大な時間を要するため、より効率的な林相解析手法が求められている。
【先行技術文献】
【特許文献】
【０００４】
【特許文献１】特開２００８−４６８３７号公報
【特許文献２】特開２０１１−２４４７１号公報
【発明の概要】
【発明が解決しようとする課題】
【０００５】
オブジェクトベース画像解析による林相区分図の自動生成に関する研究が、近年数多く見受けられるようになっている。これらの研究では、森林を撮影した高分解能の衛星画像や航空写真を用い、当該画像の領域分割によって得られた画像オブジェクトに対し、画像分類を行って林相区分・樹種分類図を作成する。
【０００６】
ここで、画像オブジェクトとは、類似した特徴を持つ小領域であり、森林のリモートセンシング画像においては、林相によって区分された森林領域である林相区画（forest type object）である。つまり、上述のような航空写真などのリモートセンシング画像を対象としたオブジェクトベース（object-based）画像解析による林相区分・樹種分類は、林相区画を基本処理単位として行われる。したがって、林相区画を適切に生成することは林相区分・樹種分類を正確に行う上での前提条件となる。
【０００７】
画像領域分割手法を利用した林相区画の生成は、画像のスペクトル情報をベースとして行われる。しかしながら、森林の画像における異なる林分間の特徴の違いはそれほど顕著でなく、一方、同じ林分内でも日向領域と日陰領域の違いにより画像の特徴のばらつきが大きい。また、使用する画像データの撮影状況（撮影時期、バンド数など）も領域分割処理の結果に影響を与える。そのため、画像領域分割により林相区画を適切に生成することは容易ではないという問題があった。
【０００８】
また、画像領域分割に基づいたオブジェクトベースの画像解析に画像のテクスチャ情報を用いて林相区分の自動判読を行うことは提案されているものの、どのようなテクスチャ情報が林相分類に有効なのかはまだ明らかではなく、正確な林相分類が難しく誤分類率が高いという問題があった。
【０００９】
本発明は上記問題点を解決するためになされたものであり、航空写真等の高分解能の画像から林相の区画を抽出したり分類したりする解析を高精度で自動的に行うことを可能とする林相解析装置、林相解析方法及びプログラムを提供することを目的とする。
【課題を解決するための手段】
【００１０】
（１）本発明に係る林相解析装置は、森林を含む対象地域を上空から撮影した原画像から、当該原画像の隣接する複数画素からなる領域を画素として分解能を低下させた劣化画像を生成する画像劣化手段と、前記劣化画像を、１又は複数種類の区画用特徴量の類似性に基づいて複数領域に分割し林相区画を生成する初期区画手段と、隣接する林相区画を１又は複数種類の前記区画用特徴量の類似性に基づいて結合して新たな林相区画を生成する逐次区画処理を１回又は複数回行い、前記対象地域における前記森林の林相区画を出力する後続区画手段と、を有し、前記１又は複数種類の区画用特徴量は、前記劣化画像の画素又は前記林相区画のスペクトル特徴量、幾何特徴量、及びテクスチャ特徴量の何れか１つもしくは複数の組み合わせであり、前記後続区画手段は少なくとも１回の前記逐次区画処理を前記原画像の前記区画用特徴量、又は前記原画像及び前記劣化画像それぞれの前記区画用特徴量に基づいて行う。
【００１１】
（２）上記（１）に記載する林相解析装置において、前記初期区画手段は、前記劣化画像を、その画素値の前記スペクトル特徴量の類似性に基づいて複数領域に分割し林相区画を生成し、前記後続区画手段は、隣接する林相区画をそれらの前記スペクトル特徴量の類似性に基づいて結合して新たな林相区画を生成する逐次区画処理を１回又は複数回行い、前記対象地域における前記森林の林相区画を出力し、さらに前記後続区画手段は少なくとも１回の前記逐次区画処理を前記原画像の画素値のスペクトル特徴量、又は前記原画像及び前記劣化画像それぞれの画素値のスペクトル特徴量に基づいて行う。
【００１２】
（３）上記（２）に記載する林相解析装置において、前記初期区画手段又は前記後続区画手段は、前記林相区画の生成を前記スペクトル特徴量の類似性と当該林相区画についての前記幾何特徴量の類似性とに基づいて行うようにしてもよい。
【００１３】
（４）上記（１）から（３）に記載する林相解析装置において、さらに、前記原画像からテクスチャ情報を抽出するテクスチャ情報抽出手段と、前記後続区画手段から出力される前記各林相区画について、前記テクスチャ情報に基づいて林相を判別する林相区分手段と、を備えた構成とすることができる。
【００１４】
（５）上記（４）に記載する林相解析装置において、前記原画像からスペクトル情報を抽出するスペクトル情報抽出手段を備え、前記林相区分手段は、前記テクスチャ情報及び前記スペクトル情報に基づいて前記林相を判別するようにしてもよい。
【００１５】
（６）上記（４）又は（５）に記載する林相解析装置において、前記テクスチャ情報抽出手段は、前記原画像を二値化処理して日向と日陰とが区別された日向／日陰分布パターンを前記テクスチャ情報として抽出する構成とすることができる。
【００１６】
（７）上記（５）に記載する林相解析装置において、前記テクスチャ情報抽出手段は、前記原画像を二値化処理して日向と日陰とが区別された日向／日陰分布パターンを前記テクスチャ情報として抽出し、前記スペクトル情報抽出手段は、前記日向／日陰分布パターンに基づいて前記原画像の日向領域のみから前記スペクトル情報を抽出する構成とすることができる。
【００１７】
（８）上記（４）から（７）に記載する林相解析装置において、前記テクスチャ情報抽出手段は、前記原画像における輝度勾配を二値化処理して日向と日陰との境界領域が現れた日向／日陰境界パターンを前記テクスチャ情報として抽出する構成とすることができる。
【００１８】
（９）上記（４）から（８）に記載する林相解析装置において、前記テクスチャ情報抽出手段は、前記原画像から局所二値パターン演算子を用いて得られるＬＢＰ画像を前記テクスチャ情報として抽出する構成とすることができる。
【００１９】
（１０）上記（１）から（３）に記載する林相解析装置において、さらに、前記原画像からスペクトル情報を抽出するスペクトル情報抽出手段と、前記後続区画手段から出力される前記各林相区画について、前記スペクトル情報に基づいて林相を判別する林相区分手段と、を備えた構成とすることができる。
【００２０】
（１１）上記（５）又は（１０）に記載する林相解析装置において、前記原画像は、複数の波長帯を観測したマルチスペクトル画像であり、前記スペクトル情報抽出手段は、前記原画像の各画素における前記各波長帯の成分を、当該画素における全ての前記波長帯の成分の和で正規化し、正規化後の画像から前記スペクトル情報を抽出する構成とすることができる。
【００２１】
（１２）本発明に係る林相解析方法は、森林を含む対象地域を上空から撮影した原画像から、当該原画像の隣接する複数画素からなる領域を画素として分解能を低下させた劣化画像を生成する画像劣化ステップと、前記劣化画像を、１又は複数種類の区画用特徴量の類似性に基づいて複数領域に分割し林相区画を生成する初期区画ステップと、隣接する林相区画を１又は複数種類の前記区画用特徴量の類似性に基づいて結合して新たな林相区画を生成する逐次区画処理を１回又は複数回行い、前記対象地域における前記森林の林相区画を出力する後続区画ステップと、を有し、前記１又は複数種類の区画用特徴量は、前記劣化画像の画素又は前記林相区画のスペクトル特徴量、幾何特徴量、及びテクスチャ特徴量の何れか１つもしくは複数の組み合わせであり、前記後続区画ステップは少なくとも１回の前記逐次区画処理を前記原画像の前記区画用特徴量、又は前記原画像及び前記劣化画像それぞれの前記区画用特徴量に基づいて行う。
【００２２】
（１３）本発明に係るプログラムは、コンピュータに、森林を含む対象地域における林相解析を行わせるためのプログラムであって、当該コンピュータを、森林を含む対象地域を上空から撮影した原画像から、当該原画像の隣接する複数画素からなる領域を画素として分解能を低下させた劣化画像を生成する画像劣化手段、前記劣化画像を、１又は複数種類の区画用特徴量の類似性に基づいて複数領域に分割し林相区画を生成する初期区画手段、及び、隣接する林相区画を１又は複数種類の前記区画用特徴量の類似性に基づいて結合して新たな林相区画を生成する逐次区画処理を１回又は複数回行い、前記対象地域における前記森林の林相区画を出力する後続区画手段、として機能させ、前記１又は複数種類の区画用特徴量は、前記劣化画像の画素又は前記林相区画のスペクトル特徴量、幾何特徴量、及びテクスチャ特徴量の何れか１つもしくは複数の組み合わせであり、前記後続区画手段は少なくとも１回の前記逐次区画処理を前記原画像の前記区画用特徴量、又は前記原画像及び前記劣化画像それぞれの前記区画用特徴量に基づいて行う。
【発明の効果】
【００２３】
本発明によれば、航空写真等の高分解能の画像から林相の区画を抽出したり分類したりする解析を高精度で自動的に行うことが可能となる。
【図面の簡単な説明】
【００２４】
【図１】本発明の第１の実施形態である林相解析システムの概略の構成を示すブロック図である。
【図２】日向／日陰分布パターンの例を示す説明図である。
【図３】日向／日陰境界パターンの例を示す説明図である。
【図４】ＬＢＰ画像の例を示す説明図である。
【図５】正規化処理前のオルソ画像の例を示す画像である。
【図６】図５の画像を正規化処理して得られた画像である。
【図７】本発明の実施形態である林相解析システムの概略の処理フロー図である。
【図８】階層的な領域分割処理の最初の階層にて低分解能画像から生成された林相区画の例を示す画像である。
【図９】階層的な領域分割処理の途中階層にて生成された林相区画の例を示す画像である。
【図１０】図９に示す階層より後の階層にて生成された林相区画の例を示す画像である。
【図１１】最尤法を利用した画像分類による従来の自動判別手法での林相の分類結果の例を示す画像である。
【図１２】本発明の実施形態である林相解析システムによる林相区分図の例を示す画像である。
【図１３】本発明の第２の実施形態である林相解析システムの概略の構成を示すブロック図である。
【発明を実施するための形態】
【００２５】
以下、本発明の実施の形態（以下実施形態という）について、図面に基づいて説明する。
【００２６】
［第１の実施形態］
図１は、第１の実施形態である林相解析システム２の概略の構成を示すブロック図である。本システムは、演算処理装置４、記憶装置６、入力装置８及び出力装置１０を含んで構成される。演算処理装置４として、本システムの処理を行う専用のハードウェアを作ることも可能であるが、本実施形態では演算処理装置４は、コンピュータ及び、当該コンピュータ上で実行されるプログラムを用いて構築される。
【００２７】
演算処理装置４は、コンピュータのＣＰＵ（Central Processing Unit）からなり、後述する林相区画生成部２０、テクスチャ解析部２２、スペクトル解析部２４、林相区分決定部２６として機能する。
【００２８】
記憶装置６はＲＯＭ（Read Only Memory）、ＲＡＭ（Random Access Memory）等のメモリ装置である。記憶装置６は演算処理装置４にて実行される各種のプログラムや、本システムの処理に必要な各種データを記憶し、演算処理装置４との間でこれらの情報を入出力する。例えば、記憶装置６には、オルソ画像データ３０、林相区画に関するスペクトル条件３２及び幾何条件３４、並びに林相を特徴付けるテクスチャ情報３６及びスペクトル情報３８が予め格納される。
【００２９】
オルソ画像データ３０は航空機等から撮影された空中写真画像に基づいて生成される。本システムではオルソ画像データ３０は、森林を含む対象領域を上空から撮影した原画像として用いられる高分解能画像データであり、例えば、赤（Ｒ）、緑（Ｇ）、青（Ｂ）の３成分からなる３バンドのマルチスペクトル画像、又はこれらに近赤外（ＮＩＲ）を加えた４成分からなる４バンドのマルチスペクトル画像である。
【００３０】
スペクトル条件３２及び幾何条件３４は、原画像を領域分割して生成されるオブジェクト領域である林相区画が満たすべき条件である。スペクトル条件３２は林相区画を構成する画素群の色（Color）や濃度・明るさから抽出されるスペクトル特徴量に関する条件を規定する。一方、幾何条件３４は林相区画の幾何特徴量である形状（Shape）に関する条件を規定する。例えば、形状は、コンパクトネス（Compactness）やスムースネス（Smoothness）といったパラメータで表される。
【００３１】
テクスチャ情報３６及びスペクトル情報３８は、林相それぞれを特徴付ける情報である。テクスチャ情報３６は高分解能画像における画像テクスチャを表現する情報である。本実施形態では、画像テクスチャとして日向／日陰分布パターン、日向／日陰境界パターン及びＬＢＰ（Local Binary Pattern）画像を用いることに対応して、テクスチャ情報３６として日向／日陰分布パターン情報４０、日向／日陰境界パターン情報４２及びＬＢＰ（Local Binary Pattern）画像情報４４が記憶装置６に格納される。例えば、各テクスチャ情報３６は画像テクスチャの平均値や標準偏差などの統計量で表現することができる。
【００３２】
スペクトル情報３８は高分解能画像におけるスペクトルを表現する情報であり、画素値から抽出されるスペクトル特徴量で表現することができる。例えば、各スペクトル特徴量として各色の平均値、標準偏差などの統計量を用いることができる。
【００３３】
入力装置８は、キーボード、マウスなどであり、ユーザが本システムへの操作を行うために用いる。
【００３４】
出力装置１０は、ディスプレイ、プリンタなどであり、本システムにより生成された林相区画や林相区分図（林分図）を画面表示、印刷等によりユーザに示す等に用いられる。また、林相区画や林相区分に関するデータを他のシステムで利用できるよう、データとして出力してもよい。
【００３５】
林相区画生成部２０は、オルソ画像データ３０に対して階層的に領域分割処理を行って林相区画を生成する。林相区画生成部２０は、低分解能画像生成部５０、初期区画部５２及び後続区画部５４を有する。
【００３６】
低分解能画像生成部５０は、高分解能のオルソ画像データ３０をディグラデーション処理して分解能を低下させた低分解能画像（劣化画像）を生成する画像劣化手段であり、低分解能画像の画素はオルソ画像データ３０における隣接する複数画素からなる領域に対応する。ここでは区別を容易にするために、オルソ画像データ３０の画素を原画素、低分解能画像の画素を拡大画素と表現する。例えば、低分解能画像はオルソ画像データ３０を一様なサンプリング密度でダウンサンプリングして生成することができ、拡大画素の画素値はオルソ画像データ３０にて対応する領域内の複数の原画素を代表する値に設定することができる。例えば、低分解能画像生成部５０は、原画像に対し所定のフィルタを用いた畳み込みにより平滑化処理を行い、拡大画素の画素値を当該拡大画素内の所定位置の原画素での平滑化処理後の画素値に設定することができる。一般的な画像では、注目画素に距離が近い画素の輝度値は注目画素の輝度値と近くなる場合が多く、注目画素から遠ざかるほど、注目画素の輝度値との差が大きくなる場合が多い。このような性質を考慮し、注目画素に近いほど平均値を計算するときの重みを大きくし、遠くなるほど重みを小さくするように２次元ガウス分布を用いて画像の平滑化を行うガウシアンフィルタが知られている。拡大画素の画素値を求める際の平滑化処理に、このガウシアンフィルタを採用することができる。また、より簡単な手法として例えば、拡大画素の画素値はそれに対応する複数の原画素の画素値の平均値、中央値などで定義することもできる。
【００３７】
初期区画部５２は階層的な領域分割処理の最初の階層の処理を行う。具体的には初期区画部５２は低分解能画像生成部５０により生成された低分解能画像を複数領域に分割し１次の林相区画を生成する。初期区画部５２は、互いに隣接する複数の拡大画素からなる領域を１次の林相区画とするか否かを、それら拡大画素の画素値のスペクトル特徴量の類似性（スペクトル条件）と、それら拡大画素を結合して得られる領域についての幾何特徴量の類似性（幾何条件）とに基づいて決定する。
【００３８】
後続区画部５４は階層的な領域分割処理の第２の階層以降の処理を行う。具体的には後続区画部５４は、隣接する林相区画を結合して新たな林相区画を生成する逐次区画処理を１回又は複数回行う。逐次区画処理は、互いに隣接する複数の低次の林相区画について、それらのスペクトル特徴量の類似性と、それらを結合して得られる高次の林相区画についての幾何特徴量の類似性とに基づいて、それら低次の林相区画を結合するか否かを決める。
【００３９】
本実施形態では後続区画部５４は逐次区画処理として、初期区画部５２にて生成された低分解能画像の領域分割処理結果である１次の林相区画内、あるいは先行する領域分割処理結果である低次の林相区画内における低分解能画像と高分解能画像（原画像）との両方、あるいは高分解能画像のみを用いて領域分割処理を行う。低分解能画像からは、林相区画の結合可否の判断に用いる画素値のスペクトル特徴量として、林相区画内に包含される拡大画素群についてのスペクトル特徴量を求める。一方、高分解能画像からは、林相区画の結合可否の判断に用いる画素値のスペクトル特徴量として、林相区画内に包含される原画素群についてのスペクトル特徴量を求める。なお、後続区画部５４は少なくとも１回の逐次区画処理が、高分解能画像の画素値のスペクトル特徴量、又は高分解能画像及び低分解能画像それぞれの画素値のスペクトル特徴量に基づいて行う領域分割処理である構成とすることもできる。すなわち、後続区画部５４が複数回の逐次区画処理を行う場合に、そのうち一部の回数は低分解能画像の画素値だけからスペクトル特徴量を抽出し、それに基づいて領域分割処理を行ってもよい。
【００４０】
画像領域分割には領域併合（region merging）に基づく手法を利用する。この手法において画像領域分割処理の対象とされる画像に存在する隣接する２つのオブジェクトを統合するかどうかは、統合後に生成される新しいオブジェクトの異質性（heterogeneity）と統合前のオブジェクトの異質性との間の変化を評価することによって決定される。ちなみに、初期区画部５２での処理ではオブジェクトは低分解能画像の画素であり、後続区画部５４での処理ではオブジェクトは既に生成されている林相区画である。
【００４１】
具体的には、領域併合によるオブジェクトの異質性の変化Δｈは、併合前後におけるスペクトル異質性の変化Δｈｐと形状異質性の変化Δｈｔとから次式によって算出される。
【００４２】
【数１】
2014199660.tif 000003
【００４３】
ここで、ｗｐはスペクトル異質性の重み、ｗｔは形状異質性の重みである。
【００４４】
併合前後のスペクトル異質性の変化Δｈｐは、対象画像の各バンドにおける併合前後のオブジェクト内の画素値の標準偏差を用いて、次式によって計算される。
【００４５】
【数２】
2014199660.tif 000004
【００４６】
ここで、Ｎは画像のバンド数、ｗｉはバンドｉの重み、ｎａｂは併合後の新しいオブジェクトの画素数、ｎａ，ｎｂは併合前の２つのオブジェクトの画素数、σｉ，ａｂは併合後のオブジェクトのバンドｉにおける標準偏差、σｉ，ａ，σｉ，ｂは併合前の２つのオブジェクトのバンドｉにおける標準偏差である。
【００４７】
また、併合前後の形状異質性の変化Δｈｔは、コンパクトネスとスムースネスという２つの基準で次式により定義される。
【００４８】
【数３】
2014199660.tif 000005
【００４９】
ここで、Δｈｃは併合前後のコンパクトネスの変化、Δｈｓは併合前後のスムースネスの変化、ｗｃはコンパクトネスの重み、ｗｓはスムースネスの重みである。
【００５０】
オブジェクトのコンパクトネス基準はオブジェクトの周囲長と面積から計算され、一方、スムースネス基準はオブジェクトの周囲長と境界ボックスの直径（長軸）から計算される。具体的にはΔｈｃ，Δｈｓは次式で定義される。
【００５１】
【数４】
2014199660.tif 000006
【００５２】
ここで、ｌａｂは併合後のオブジェクトの周囲長、ｌａ，ｌｂは併合前の２つのオブジェクトの周囲長、ｓａｂは併合後のオブジェクトの面積、ｓａ，ｓｂは併合前の２つのオブジェクトの面積、ｂａｂは併合後のオブジェクトの境界ボックスの直径、ｂａ，ｂｂは併合前の２つのオブジェクトの境界ボックスの直径、ｎａｂは併合後の新しいオブジェクトの画素数、ｎａ，ｎｂは併合前の２つのオブジェクトの画素数である。
【００５３】
併合前後のオブジェクトの異質性の変化Δｈが設定されたしきい値を超えない場合、領域の併合処理が実施され、しきい値を上回る場合、領域の併合処理を停止する。設定されたしきい値はスケールパラメータ（scale parameter）と呼ばれ、画像の分割処理によって生成されるオブジェクトの大きさを表している。スケールパラメータが大きいほど、より多くのオブジェクトが併合され、領域分割によって最終的に生成されるオブジェクトのサイズが大きくなる。
【００５４】
（１）式に示すように、初期区画部５２における拡大画素の結合の判断、又は後続区画部５４における低次の林相区画の結合の判断に対するスペクトル特徴量及び幾何特徴量それぞれの寄与比率は重みｗｐ，ｗｃにより調節することができる。ここで、初期区画部５２及び後続区画部５４の一方又は両方は、林相区画の生成判断において、幾何条件を用いずスペクトル特徴量の類似性だけに基づいて行う構成にすることもできる。
【００５５】
テクスチャ解析部２２は、オルソ画像データ３０からテクスチャ情報を抽出するテクスチャ情報抽出手段である。テクスチャ解析部２２は、日向／日陰分布パターン情報抽出部６０、日向／日陰境界パターン情報抽出部６２及びＬＢＰ画像情報抽出部６４を有する。
【００５６】
日向／日陰分布パターン情報抽出部６０はオルソ画像データ３０を二値化処理して日向と日陰とが区別された日向／日陰分布パターンをテクスチャ情報として抽出する。図２は日向／日陰分布パターンの例を示す説明図である。図２（ａ）〜（ｄ）はそれぞれスギ林、ヒノキ林、広葉樹林、非森林の例であり、左右に並ぶ２つの画像のうち左側がオルソ画像データ３０、右側が日向／日陰分布パターンである。当該日向／日陰分布パターンにおいて白領域が日向、黒領域が日陰である。ちなみに、ここでの二値化のしきい値は大津の手法により決定している。
【００５７】
日向／日陰境界パターン情報抽出部６２はオルソ画像データ３０における輝度勾配を二値化処理して日向と日陰との境界領域が現れた日向／日陰境界パターンをテクスチャ情報として抽出する。図３は日向／日陰境界パターンの例を示す説明図である。図３（ａ）〜（ｄ）は図２と同様、それぞれスギ林、ヒノキ林、広葉樹林、非森林の例であり、左右に並ぶ２つの画像のうち左側がオルソ画像データ３０、右側が日向／日陰境界パターンである。当該日向／日陰境界パターンにおいて白領域が輝度勾配がしきい値以上の領域であり、黒領域がしきい値未満の領域である。ここでも、しきい値は大津の手法により決定している。日向／日陰境界パターンからは日向と日陰とが切り替わる空間的な頻度の多寡が読み取れる。
【００５８】
ＬＢＰ画像情報抽出部６４はオルソ画像データ３０から局所二値パターン演算子を用いて得られるＬＢＰ画像をテクスチャ情報として抽出する。図４はＬＢＰ画像の例を示す説明図である。図４（ａ）〜（ｄ）は図２及び図３と同様、それぞれスギ林、ヒノキ林、広葉樹林、非森林の例であり、左右に並ぶ２つの画像のうち左側がオルソ画像データ３０、右側がＬＢＰ画像である。ＬＢＰ画像は原画像の詳細な模様構造パターンを反映しており、しかも画像のコントラストの影響を受けにくいという特性を有する。
【００５９】
テクスチャ解析部２２は抽出された日向／日陰分布パターン、日向／日陰境界パターン及びＬＢＰ画像の特徴量として、それぞれの平均値や標準偏差などの統計量を算出する。ちなみに算出される統計量の種類は、記憶装置６に日向／日陰分布パターン情報４０、日向／日陰境界パターン情報４２及びＬＢＰ画像情報４４として格納される統計量の種類に対応している。
【００６０】
スペクトル解析部２４はオルソ画像データ３０からスペクトル情報を抽出するスペクトル情報抽出手段である。本実施形態ではスペクトル解析部２４はＲ，Ｇ，Ｂ，ＮＩＲの４バンドのマルチスペクトル画像に対して次式で示される正規化処理を行い、正規化後の成分Ｒ’，Ｇ’，Ｂ’からなる画像からスペクトル特徴量を抽出する。またスペクトル解析部２４は日向／日陰分布パターン情報に基づいて各林相区画における日向領域のみからスペクトル特徴量を抽出する。
【００６１】
【数５】
2014199660.tif 000007
【００６２】
図５及び図６はオルソ画像データ３０に対する正規化処理の例を示す画像であり、図５は原画像、すなわち正規化処理前のオルソ画像、図６は図５に対応するオルソ画像データ３０を正規化処理して得られた画像である。図５及び図６はグレースケールで表示しているが本来、図５はＲＧＢ合成のカラー画像であり、図６はＲ’Ｇ’Ｂ’合成のカラー画像である。例えば、樹種等の違いに応じた近赤外成分の大きさの相違により、原画像と正規化処理画像との間には色合いなどに違いが生じる。図５と図６とにおける原画像と正規化処理画像との相違は、画像内での濃淡の変化が両画像間にて相違していることから読み取れる。
【００６３】
なお、スペクトル解析部２４は正規化処理を行わずにスペクトル特徴量を抽出する構成や、日陰を含んだ各林相区画の全体におけるスペクトル特徴量を抽出する構成とすることもできる。
【００６４】
林相区分決定部２６は、テクスチャ解析部２２により抽出されたテクスチャ情報、及びスペクトル解析部２４により抽出されたスペクトル情報に基づいて、林相区画生成部２０により生成された各林相区画の林相を判別する。
【００６５】
図７は林相解析システム２における概略の処理フロー図であり、以下、図７を用いて林相解析システム２の処理の流れを説明する。
【００６６】
林相解析システム２は低分解能画像生成部５０により、オルソ画像データ３０から低分解能画像を生成し（Ｓ１０）、低分解能画像を領域分割した林相区画を階層的に領域分割して（Ｓ２０）、内部が一様な林相からなる領域に対応した林相区画を生成する（Ｓ３０）。この領域分割処理Ｓ２０は初期区画部５２及び後続区画部５４により行われる。領域分割処理は低分解能画像から開始され、低分解能画像を構成する拡大画素の画素値を用いた区画処理が最初に少なくとも１回行われ、その後、オルソ画像データ３０を構成する原画素及び拡大画素あるいは原画素のみの画素値を用いた区画処理が少なくとも１回行われる。具体的には、初期区画部５２は低分解能画像を領域分割してスケールが小さい林相区画を生成する（Ｓ２２）。後続区画部５４は低分解能画像と高分解能画像とを併用し、林相区画同士を結合することによりスケールが大きくなった林相区画を生成する（Ｓ２４）。
【００６７】
領域分割処理はスペクトル条件３２及び幾何条件３４を満たすように行われる。その際、スペクトル条件３２と幾何条件３４との比重、つまりそれぞれを領域分割に寄与させる度合は調節することができる。
【００６８】
ここで、領域分割処理の階層ごとに、林相区画を生成する際の条件は異なり得る。すなわち、初回の拡大画素を結合して初期の林相区画を生成する際や、低次の林相区画同士を結合して高次の林相区画を生成する際に、スケールパラメータであるΔｈは生成される林相区画のスケールが徐々に大きくなることを可能とするように設定される。Δｈの増加により、スペクトル条件３２に関しては、結合対象となる複数の拡大画素又は林相区画についてのスペクトル特徴量の類似性の判断基準（Δｈｐ）が領域分割処理が高階になるにつれ緩和される。また、幾何条件３４に関しても幾何特徴量の類似性の判断基準（Δｈｔ）が緩和され、領域分割処理が高階になるにつれより複雑な形状あるいは大きな面積を有する林相区画が許容されるようになり結合が促進される。一方、スペクトル条件３２と幾何条件３４とで総合的に結合が緩和されればよいので、スペクトル条件３２により結合を緩和しつつ、幾何条件３４は結合を或る程度抑制する方向に変化させより単純な形状の林相区画の生成を促す条件に設定することもできる。例えば、そのような調整は（１）式の重みｗｐ，ｗｔを変えることで可能であり、具体的にはｗｐを低下させ、一方、ｗｔを増加させて、ΔｈｐがΔｈに寄与しにくくし、ΔｈｔがΔｈに寄与しやすくすることで実現できる。
【００６９】
さて、既に述べたように、高分解能画像では森林の日向と日陰の違いにより同じ林相内でも画素値のばらつきが大きいので、従来、隣接している林相を区別して正確に区画するのが困難であるという問題があった。これに対し、林相解析システム２は原画像を低分解能化し、階層的な領域分割処理のうち少なくとも最初の１回を低分解能画像にて行う。画像を低分解能化すると同じ林相内での画素値のばらつきが平滑化・緩和されるので、低分解能画像に基づく区画処理は日向と日陰とでの画素値の違いの影響を受けにくくなり、隣接する異なる林相を区別し易い。なお、低分解能での区画処理を階層的な複数回の区画処理のうちの早い段階で行う方が、当該効果は高くなることが期待できる。
【００７０】
一方、階層的な区画処理の中で、低分解能画像と高分解能画像との両方、あるいは高分解能画像のみを用いて区画処理を行うことで、最終的に得られる林相区画に高分解能画像の情報を反映させることができる。
【００７１】
図８〜図１０は林相区画生成部２０の処理の例を示す画像であり、それぞれ同じ森林の空中写真画像に林相区画の境界を黒線で描いている。図８は初期区画部５２による処理結果であり、低分解能画像を利用して生成された初期の林相区画を示している。図９及び図１０は後続区画部５４による処理結果であり、図１０の画像は図９の画像より高階の領域分割処理の結果を示している。すなわち、図８、図９、図１０の順に階層的に領域分割が行われる。ここで、上述したように林相区画の生成は低分解能画像と高分解能画像とを併用して行われる。具体的には、図８〜図１０に示す３階層が林相区画を生成する領域分割処理の全階層である場合には、図８の林相区画は低分解能画像を利用して生成され、図９及び図１０の林相区画は、先行する領域分割の処理結果である林相区画内における低分解能画像と高分解能画像との両方、あるいは高分解能画像のみを利用して生成される。そして、図１０の林相区画が最終的に抽出された林相区画となる。
【００７２】
林相解析システム２は林相区画生成部２０により林相区画を生成する一方、テクスチャ解析部２２によりオルソ画像データ３０からテクスチャ情報を抽出する（Ｓ４０，Ｓ５０，Ｓ６０）。テクスチャ解析部２２は日向／日陰分布パターン情報抽出部６０により日向／日陰分布パターンを抽出し（Ｓ４０）、日向／日陰境界パターン情報抽出部６２により日向／日陰境界パターンを抽出し（Ｓ５０）、またＬＢＰ画像情報抽出部６４により、原画像における詳細な模様構造パターンが現れるＬＢＰ画像を抽出し（Ｓ６０）、テクスチャ情報を求める。
【００７３】
さらに林相解析システム２はスペクトル解析部２４によりオルソ画像データ３０を正規化処理し、正規化後の画像からスペクトル特徴情報を抽出する（Ｓ７０）。さらにスペクトル解析部２４は日向／日陰分布パターン情報抽出部６０により抽出した日向／日陰分布パターンを用いて、森林のスペクトルの特徴が良好に現れ得る日向部分のみからスペクトル特徴情報を抽出する（Ｓ８０）。
【００７４】
そして林相解析システム２は林相区分決定部２６により、林相区画生成部２０により抽出された林相区画ごとに林相を判読し（Ｓ９０）、その判読結果に基づいて林相区分図を生成し出力装置１０へ出力する（Ｓ１００）。
【００７５】
林相区分決定部２６は、オルソ画像データ３０から抽出された各林相区画の日向／日陰分布パターン、日向／日陰境界パターン及びＬＢＰ画像がそれぞれ、記憶装置６にテクスチャ情報３６として格納されている日向／日陰分布パターン情報４０、日向／日陰境界パターン情報４２及びＬＢＰ画像情報４４それぞれのどの林相に対応する特徴を有しているかを判定する。また、林相区分決定部２６はスペクトル解析部２４により抽出されたスペクトル特徴量が記憶装置６に格納されているスペクトル情報３８のどの林相に対応する特徴を有しているかを判定する。そして林相区分決定部２６はこれら３種類のテクスチャ情報についての林相の判定結果とスペクトル情報についての林相の判定結果とから例えば、最近隣法などを用いて総合的に林相区画の林相を決定する。
【００７６】
なお、本実施形態では、３種類のテクスチャ情報とスペクトル情報とでまず別々に林相を判定しているが、それらの特徴の組み合わせに林相を対応付けた情報を記憶装置６に予め格納し、オルソ画像データ３０から抽出された特徴の組み合わせに基づいて林相を決定してもよい。また、３種類のテクスチャ情報のうちの一部だけを用いる構成としたり、テクスチャ情報とスペクトル情報との一方だけを用いる構成としたりすることもできる。
【００７７】
また、テクスチャ情報は上述の３種類以外のものを用いることもできる。例えば、ウェーブレット解析により抽出した画像テクスチャを用いることができる。具体的には、ウェーブレット解析で抽出した高周波成分の情報をテクスチャ情報として画像のスペクトル特徴情報と併用して林相を判定することができる。
【００７８】
図１１は最尤法を利用した画像分類による従来の林相の自動判別手法での林相の分類結果の例を示す画像であり、林相の相違が画像にて濃淡の相違として表現されている。当該手法では画素ごとのスペクトル情報のみに基づいて林相を判読する。そのため、本来、同じ林相区画に属する画素相互間でも例えば日向と日陰の違いなどに起因した画素値のばらつきが生じ、林相の誤分類が起こりやすい。図１１において細かなまだらでの濃淡変化はこの誤分類の現れであると言える。このように当該従来手法では正確な林相判読を行うことが難しかった。
【００７９】
一方、図１２は図１１と同じ森林の空中写真画像を林相解析システム２で解析して得られた林相区分図を示す画像であり、生成された林相区画の境界線と、画像の濃淡で表現される林相の相違とが示されている。この結果を人間による実体視鏡やデジタル図化機等を用いた目視判読結果と比較し検証したところ、上述の従来手法より正確に林相判読がなされていた。ちなみに、図１２では図１１と比較すると細かなまだらが抑制されており、この点に誤分類抑制の効果を見て取れる。
【００８０】
本実施形態ではオルソ画像データ３０は航空写真としたが、本発明は、例えば衛星写真などの他の高分解能画像を用いた林相解析にも適用可能である。また、本実施形態ではオルソ画像を例に説明したが、必ずしもオルソ画像を用いる必要は無く、上空から撮影した画像を適宜用いることができる。
【００８１】
［第２の実施形態］
第２の実施形態の林相解析システムにおいて上記第１の実施形態と同じ構成要素は同一の符号を付して説明を省略する。以下、第２の実施形態の林相解析システム２００について第１の実施形態の林相解析システム２との相違点を説明する。
【００８２】
図１３は第２の実施形態である林相解析システム２００の概略の構成を示すブロック図である。林相解析システム２００と林相解析システム２との相違点は林相区画をどのような条件に基づいて行うかという点にある。第１の実施形態では林相区画生成部２０はスペクトル特徴量についてのスペクトル条件３２及び幾何特徴量についての幾何条件３４を満たすように領域分割処理を行って林相区画を生成している。これに対し、第２の実施形態の林相解析システム２００では、領域併合前後のオブジェクト、つまり、劣化画像の画素又は林相区画の色、形状、テクスチャ及び面積を区画用特徴量とし、これらについての色条件２０２、形状条件２０４、テクスチャ条件２０６及び面積条件２０８を満たすように領域分割処理を行って林相区画を生成する。
【００８３】
色条件２０２、形状条件２０４、テクスチャ条件２０６及び面積条件２０８は、オルソ画像（オルソ画像データ３０）を領域分割して生成されるオブジェクト領域である林相区画が満たすべき条件である。色条件２０２は林相区画におけるオルソ画像の画素値に関する条件を規定する。ちなみに「色条件」における「色」はオルソ画像の画素値を意味し、ＲＧＢの情報からなるスペクトル情報よりも広義で用いている。具体的には、ここでの「色」は第１の実施形態のスペクトル特徴量に相当し、例えば、ＮＩＲの情報を含むマルチスペクトル画像の画素値もここでの色の概念に含まれ得る。形状条件２０４は林相区画の形状に関する条件を規定する。テクスチャ条件２０６は林相区画の画像テクスチャに関する条件を規定する。画像テクスチャはテクスチャ特徴量で評価される。面積条件２０８は林相区画の面積に関する条件を規定する。なお、林相区画の形状、面積は林相区画の幾何特徴量である。
【００８４】
初期区画部５２は、互いに隣接する複数の画素からなる領域を１次の林相区画とするか否かを、それら画素の画素値の類似性、領域の画像テクスチャの類似性、及び領域の形状や面積などの幾何特徴量の類似性に基づいて決定する。ここで、結合される領域間や結合前後の領域間での画素値の類似性は、画素値の平均値などの統計量などの特徴量に基づいて判断することができる。
【００８５】
後続区画部５４は第１の実施形態と同様、逐次区画処理を行う。本実施形態では逐次区画処理は、互いに隣接する複数の低次の林相区画について、それらにおける画素値の類似性に関する色条件２０２と、それらを結合して得られる高次の林相区画についての形状条件２０４と、テクスチャ条件２０６と、面積条件２０８とに基づいて、それら低次の林相区画を結合するか否かを決める。
【００８６】
画像領域分割には第１の実施形態と同様、領域併合に基づく手法を利用する。本実施形態では、領域併合によるオブジェクトの異質性の変化Δｈは、併合前後における色の異質性の変化Δｈcolorと、形状の異質性の変化Δｈshapeと、テクスチャの異質性の変化Δｈtextureと、面積の異質性の変化Δｈaeraとから次式によって算出される。
【００８７】
【数６】
2014199660.tif 000008
【００８８】
ここで、ｗcolorは色の異質性の重み、ｗshapeは形状の異質性の重み、ｗtextureはテクスチャの異質性の重み、ｗareaは面積の異質性の重みである。
【００８９】
併合前後の色の異質性の変化Δｈcolor、形状の異質性の変化Δｈshape、テクスチャの異質性の変化Δｈtexture、面積の異質性の変化Δｈaeraは、例えば、それぞれ次式によって計算される。
【００９０】
【数７】
2014199660.tif 000009
【００９１】
ここで、ｎａｂは併合後の新しいオブジェクトの画素数、ｎａ，ｎｂは併合前の２つのオブジェクトの画素数である。また、ＣＩａｂは併合後のオブジェクトの色情報指数（例えば、画素値）、ＣＩａ，ＣＩｂは併合前の２つのオブジェクトの色情報指数、ＳＩａｂは併合後のオブジェクトの形状情報指数（例えば、スムースネス）、ＳＩａ，ＳＩｂは併合前の２つのオブジェクトの形状情報指数、ＴＩａｂは併合後のオブジェクトのテクスチャ情報指数（例えば、画素値の標準偏差値）、ＴＩａ，ＴＩｂは併合前の２つのオブジェクトのテクスチャ情報指数、ＡＩａｂは併合後のオブジェクトの面積情報指数（例えば、面積値）、ＡＩａ，ＡＩｂは併合前の２つのオブジェクトの面積情報指数である。
【００９２】
（６）式に示すように、初期区画部５２における画素の結合の判断、又は後続区画部５４における低次の林相区画の結合の判断に対する色条件、形状条件、テクスチャ条件及び面積条件それぞれの寄与比率は重みｗcolor，ｗshape，ｗtexture，ｗareaにより調節することができる。ここで、初期区画部５２及び後続区画部５４の一方又は両方は、林相区画の生成判断において、色条件、形状条件、テクスチャ条件及び面積条件の何れか１つもしくは複数の組み合わせに基づいて行う構成にすることもできる。
【符号の説明】
【００９３】
２，２００  林相解析システム、４  演算処理装置、６  記憶装置、８  入力装置、１０  出力装置、２０  林相区画生成部、２２  テクスチャ解析部、２４  スペクトル解析部、２６  林相区分決定部、３０  オルソ画像データ、３２  スペクトル条件、３４  幾何条件、３６  テクスチャ情報、３８  スペクトル情報、４０  日向／日陰分布パターン情報、４２  日向／日陰境界パターン情報、４４  ＬＢＰ画像情報、５０  低分解能画像生成部、５２  初期区画部、５４  後続区画部、６０  日向／日陰分布パターン情報抽出部、６２  日向／日陰境界パターン情報抽出部、６４  ＬＢＰ画像情報抽出部、２０２  色条件、２０４  形状条件、２０６  テクスチャ条件、２０８  面積条件。
【図１】
2014199660.tif 000010
【図２】
2014199660.tif 000011
【図３】
2014199660.tif 000012
【図４】
2014199660.tif 000013
【図５】
2014199660.tif 000014
【図６】
2014199660.tif 000015
【図７】
2014199660.tif 000016
【図８】
2014199660.tif 000017
【図９】
2014199660.tif 000018
【図１０】
2014199660.tif 000019
【図１１】
2014199660.tif 000020
【図１２】
2014199660.tif 000021
【図１３】
2014199660.tif 000022
【手続補正書】
【提出日】平成26年7月2日(2014.7.2)
【手続補正１】
【補正対象書類名】特許請求の範囲
【補正対象項目名】全文
【補正方法】変更
【補正の内容】
【特許請求の範囲】
【請求項１】
森林を含む対象地域を上空から撮影した原画像から、当該原画像の隣接する複数画素からなる領域を画素として分解能を低下させ森林の日向と日陰の画素値のばらつきを平滑化した劣化画像を生成する画像劣化手段と、
前記劣化画像を、１又は複数種類の区画用特徴量の類似性に基づいて複数領域に分割し林相区画を生成する初期区画手段と、
隣接する林相区画を１又は複数種類の前記区画用特徴量の類似性に基づいて結合して新たな林相区画を生成する逐次区画処理を１回又は複数回行い、前記対象地域における前記森林の林相区画を出力する後続区画手段と、
を有し、
前記１又は複数種類の区画用特徴量は、前記劣化画像の画素又は前記林相区画のスペクトル特徴量、幾何特徴量、及びテクスチャ特徴量の何れか１つもしくは複数の組み合わせであり、
前記後続区画手段は少なくとも１回の前記逐次区画処理を前記原画像の前記区画用特徴量、又は前記原画像及び前記劣化画像それぞれの前記区画用特徴量に基づいて行うこと、  を特徴とする林相解析装置。
【請求項２】
請求項１に記載の林相解析装置において、
前記初期区画手段は、前記劣化画像を、その画素値の前記スペクトル特徴量の類似性に基づいて複数領域に分割し林相区画し、
前記後続区画手段は、隣接する林相区画をそれらの前記スペクトル特徴量の類似性に基づいて結合して新たな林相区画を生成する逐次区画処理を１回又は複数回行い、前記対象地域における前記森林の林相区画を出力し、
さらに前記後続区画手段は少なくとも１回の前記逐次区画処理を前記原画像の画素値のスペクトル特徴量、又は前記原画像及び前記劣化画像それぞれの画素値のスペクトル特徴量に基づいて行うこと、
を特徴とする林相解析装置。
【請求項３】
請求項２に記載の林相解析装置において、
前記初期区画手段又は前記後続区画手段は、前記林相区画の生成を前記スペクトル特徴量の類似性と当該林相区画についての前記幾何特徴量の類似性とに基づいて行うこと、を特徴とする林相解析装置。
【請求項４】
請求項１から請求項３のいずれか１つに記載の林相解析装置において、
前記原画像からテクスチャ情報を抽出するテクスチャ情報抽出手段と、
前記後続区画手段から出力される前記各林相区画について、前記テクスチャ情報に基づいて林相を判別する林相区分決定手段と、
を有することを特徴とする林相解析装置。
【請求項５】
請求項４に記載の林相解析装置において、
前記原画像からスペクトル情報を抽出するスペクトル情報抽出手段を有し、
前記林相区分決定手段は、前記テクスチャ情報及び前記スペクトル情報に基づいて前記林相を判別すること、
を特徴とする林相解析装置。
【請求項６】
請求項４又は請求項５に記載の林相解析装置において、
前記テクスチャ情報抽出手段は、前記原画像を二値化処理して日向と日陰とが区別された日向／日陰分布パターンを前記テクスチャ情報として抽出すること、を特徴とする林相解析装置。
【請求項７】
請求項５に記載の林相解析装置において、
前記テクスチャ情報抽出手段は、前記原画像を二値化処理して日向と日陰とが区別された日向／日陰分布パターンを前記テクスチャ情報として抽出し、
前記スペクトル情報抽出手段は、前記日向／日陰分布パターンに基づいて前記原画像の日向領域のみから前記スペクトル情報を抽出すること、
を特徴とする林相解析装置。
【請求項８】
請求項４から請求項７のいずれか１つに記載の林相解析装置において、
前記テクスチャ情報抽出手段は、前記原画像における輝度勾配を二値化処理して日向と日陰との境界領域が現れた日向／日陰境界パターンを前記テクスチャ情報として抽出すること、を特徴とする林相解析装置。
【請求項９】
請求項４から請求項８のいずれか１つに記載の林相解析装置において、
前記テクスチャ情報抽出手段は、前記原画像から局所二値パターン演算子を用いて得られるＬＢＰ画像を前記テクスチャ情報として抽出すること、を特徴とする林相解析装置。
【請求項１０】
請求項１から請求項３のいずれか１つに記載の林相解析装置において、
前記原画像からスペクトル情報を抽出するスペクトル情報抽出手段と、
前記後続区画手段から出力される前記各林相区画について、前記スペクトル情報に基づいて林相を判別する林相区分決定手段と、
を有することを特徴とする林相解析装置。
【請求項１１】
請求項５又は請求項１０に記載の林相解析装置において、
前記原画像は、複数の波長帯を観測したマルチスペクトル画像であり、
前記スペクトル情報抽出手段は、前記原画像の各画素における前記各波長帯の成分を、当該画素における全ての前記波長帯の成分の和で正規化し、正規化後の画像から前記スペクトル情報を抽出すること、
を特徴とする林相解析装置。
【請求項１２】
森林を含む対象地域を上空から撮影した原画像から、当該原画像の隣接する複数画素からなる領域を画素として分解能を低下させ森林の日向と日陰の画素値のばらつきを平滑化した劣化画像を生成する画像劣化ステップと、
前記劣化画像を、１又は複数種類の区画用特徴量の類似性に基づいて複数領域に分割し林相区画を生成する初期区画ステップと、
隣接する林相区画を１又は複数種類の前記区画用特徴量の類似性に基づいて結合して新たな林相区画を生成する逐次区画処理を１回又は複数回行い、前記対象地域における前記森林の林相区画を出力する後続区画ステップと、
を有し、
前記１又は複数種類の区画用特徴量は、前記劣化画像の画素又は前記林相区画のスペクトル特徴量、幾何特徴量、及びテクスチャ特徴量の何れか１つもしくは複数の組み合わせであり、
前記後続区画ステップは少なくとも１回の前記逐次区画処理を前記原画像の前記区画用特徴量、又は前記原画像及び前記劣化画像それぞれの前記区画用特徴量に基づいて行うこと、
を特徴とする林相解析方法。
【請求項１３】
コンピュータに、森林を含む対象地域における林相解析を行わせるためのプログラムであって、当該コンピュータを、
森林を含む対象地域を上空から撮影した原画像から、当該原画像の隣接する複数画素からなる領域を画素として分解能を低下させ森林の日向と日陰の画素値のばらつきを平滑化した劣化画像を生成する画像劣化手段、
前記劣化画像を、１又は複数種類の区画用特徴量の類似性に基づいて複数領域に分割し林相区画を生成する初期区画手段、及び、
隣接する林相区画を１又は複数種類の前記区画用特徴量の類似性に基づいて結合して新たな林相区画を生成する逐次区画処理を１回又は複数回行い、前記対象地域における前記森林の林相区画を出力する後続区画手段、
として機能させ、
前記１又は複数種類の区画用特徴量は、前記劣化画像の画素又は前記林相区画のスペクトル特徴量、幾何特徴量、及びテクスチャ特徴量の何れか１つもしくは複数の組み合わせであり、
前記後続区画手段は少なくとも１回の前記逐次区画処理を前記原画像の前記区画用特徴量、又は前記原画像及び前記劣化画像それぞれの前記区画用特徴量に基づいて行うこと、  を特徴とするプログラム。